(57)【特許請求の範囲】
【請求項１】
アプリケーションを選択する選択手段と、
移動に伴い変化する本装置の位置空間を特定する空間特定手段と、
前記特定された位置空間と対応付けられて無線通信する外部装置の中から、前記選択されたアプリケーションの種類に応じて、前記本装置の移動先での外部装置を決定する決定手段と、
前記決定された外部装置と接続すると共に、この接続の完了後、前記選択されたアプリケーションで扱うデータを無線で送信する無線通信手段と、
を具備することを特徴とする無線通信装置。
【請求項２】
前記無線通信手段による前記接続先の外部装置との無線通信接続の切断に伴い、該接続先の外部装置の使用頻度情報を更新して記憶する記憶手段を更に具備し、
前記決定手段は、前記選択されたアプリケーションの種類と、前記記憶された使用頻度情報とに応じて、前記本装置の移動先での外部装置を決定する
ことを特徴とする請求項１記載の無線通信装置。
【請求項３】
前記外部装置の優先度情報を入力する入力手段を更に具備し、
前記決定手段は、前記選択されたアプリケーションの種類と、前記記憶された使用頻度情報と、前記入力された外部装置の優先度情報とに応じて、前記本装置の移動先での外部装置を決定する
ことを特徴とする請求項２記載の無線通信装置。
【請求項４】
前記決定手段は、決定した前記外部装置が使用不可能か否か判断し、使用不可能であれば、前記本装置の移動先での新たな外部装置を決定することを特徴とする請求項３記載の無線通信装置。
【請求項５】
前記記憶手段は、前記接続先の外部装置の時間帯毎の使用頻度情報を記憶し、
前記決定手段は、時間の経過に伴い、前記記憶手段で記憶した前記時間帯毎の使用頻度情報に基づいて前記接続先の外部装置を決定することを特徴とする請求項４記載の無線通信装置。
【請求項６】
前記特定された本装置の位置空間に基づき、前記接続先の外部装置の位置情報を生成する接続先情報生成手段と、
前記生成された接続先の外部装置の位置情報を登録する接続先情報登録手段と、
前記無線通信手段によって前記接続先の外部装置との無線通信接続をしている状態で、前記移動に伴い変化する本装置の位置空間に基づき、前記登録された接続先の外部装置の位置情報を更新する接続先情報更新手段と、
を更に具備することを特徴とする請求項５記載の無線通信装置。
【請求項７】
コンテンツデータを選択する選択手段と、
移動に伴い変化する本装置の位置空間を特定する空間特定手段と、
前記特定された位置空間と対応付けられて無線通信する外部装置の中から、前記選択されたコンテンツデータの種類に応じて、前記本装置の移動先での外部装置を決定する決定手段と、
前記決定された外部装置と接続すると共に、この接続の完了後、前記選択されたコンテンツデータを無線で送信する無線通信手段と、
を具備することを特徴とする無線通信装置。
【請求項８】
前記無線通信手段による前記接続先の外部装置との無線通信接続の切断に伴い、該接続先の外部装置の使用頻度情報を更新して記憶する記憶手段を更に具備し、
前記決定手段は、前記選択されたコンテンツデータの種類と、前記記憶された使用頻度情報とに応じて、前記本装置の移動先での外部装置を決定する
ことを特徴とする請求項７記載の無線通信装置。
【請求項９】
前記外部装置の優先度情報を入力する入力手段を更に具備し、
前記決定手段は、前記選択されたコンテンツデータの種類と、前記記憶された使用頻度情報と、前記入力された外部装置の優先度情報とに応じて、前記本装置の移動先での外部装置を決定する
ことを特徴とする請求項８記載の無線通信装置。
【請求項１０】
前記決定手段は、決定した前記外部装置が使用不可能か否か判断し、使用不可能であれば、前記本装置の移動先での新たな外部装置を決定することを特徴とする請求項９記載の無線通信装置。
【請求項１１】
前記記憶手段は、前記接続先の外部装置の時間帯毎の使用頻度情報を記憶し、
前記決定手段は、時間の経過に伴い、前記記憶手段で記憶した前記時間帯毎の使用頻度情報に基づいて前記接続先の外部装置を決定することを特徴とする請求項１０記載の無線通信装置。
【請求項１２】
前記特定された本装置の位置空間に基づき、前記接続先の外部装置の位置情報を生成する接続先情報生成手段と、
前記生成された接続先の外部装置の位置情報を登録する接続先情報登録手段と、
前記無線通信手段によって前記接続先の外部装置との無線通信接続をしている状態で、前記移動に伴い変化する本装置の位置空間に基づき、前記接続先情報登録手段で登録した前記接続先の外部装置の位置情報を更新する接続先情報更新手段と、
を更に具備することを特徴とする請求項１１記載の無線通信装置。
【発明の詳細な説明】
【技術分野】
【０００１】
本発明は、無線通信装置に関する。
【背景技術】
【０００２】
近年、無線通信技術の進歩により、携帯電話、ＰＤＡ（Ｐｅｒｓｏｎａｌ  Ｄｉｇｉｔａｌ  Ａｓｓｉｓｔａｎｔ）、デジタルカメラ等のモバイル装置に無線通信機能を搭載した無線通信装置が広く普及している。これらの無線通信装置は、ケーブルを使用せずにパーソナルコンピュータや携帯電話等を接続して音声データや映像データ等のコンテンツデータを送受信することができる。
【０００３】
また、これらの無線通信装置の中には、該無線通信装置の位置情報に応じて接続手段を選択する無線通信装置がある。例えば特許文献１には、移動中であっても、或いは移動先であっても、自動的に最適なネットワーク接続手段を選択、設定できるネットワーク自動切換えシステムが開示されている。
【特許文献１】特開２００１−３０９４４５号公報
【発明の開示】
【発明が解決しようとする課題】
【０００４】
しかしながら、特許文献１では複数存在する接続先のネットワークの中で最適なネットワークを選定する手段について示されているが、接続先の無線通信装置を選定することは考慮していない。よって、無線通信の相手装置が複数台存在している場合、ユーザは接続相手となる他の無線通信装置を自ら選定する必要がある。
【０００５】
更に、例えばユーザが無線通信装置を携帯して移動する際は、移動する度に各位置での接続先の無線通信装置を選定し直す必要があり、利便性に欠ける。
そこで、本発明は、接続先の装置の選定に関するユーザの利便性を向上させることのできる無線通信装置、無線通信方法および無線通信システムを提供することを目的とする。
【課題を解決するための手段】
【０００６】
上記の課題を解決するために本発明の無線通信装置は、アプリケーションを選択する選択手段と、移動に伴い変化する本装置の位置空間を特定する空間特定手段と、前記特定された位置空間と対応付けられて無線通信する外部装置の中から、前記選択されたアプリケーションの種類に応じて、前記本装置の移動先での外部装置を決定する決定手段と、前記決定された外部装置と接続すると共に、この接続の完了後、前記選択されたアプリケーションで扱うデータを無線で送信する無線通信手段と、を具備することを特徴とする。
【０００７】
また、本発明の無線通信装置は、コンテンツデータを選択する選択手段と、移動に伴い変化する本装置の位置空間を特定する空間特定手段と、前記特定された位置空間と対応付けられて無線通信する外部装置の中から、前記選択されたコンテンツデータの種類に応じて、前記本装置の移動先での外部装置を決定する決定手段と、前記決定された外部装置と接続すると共に、この接続の完了後、前記選択されたコンテンツデータを無線で送信する無線通信手段と、を具備することを特徴とする。
【発明の効果】
【０００８】
本発明によれば、接続先の装置の選定に関するユーザの利便性を向上させる無線通信装置および無線通信システムを提供することができる。
【発明を実施するための最良の形態】
【０００９】
以下、図面を参照して本発明の実施形態を説明する。
まず、図１および図２を参照して、本発明の一実施形態に係る無線通信装置の構成を説明する。図１は、本発明の一実施形態に係る無線通信装置の外観の一例である。図２は、本発明の実施形態に係る無線通信装置を構成する携帯端末１００のシステム構成の一例を示した図である。
【００１０】
本実施の形態は、例えば音楽再生や画像転送等のアプリケーションで扱うデータを複数の外部装置２００〜７００（接続先の無線通信装置）に送信する携帯端末１００（無線通信装置）から実現されている。
【００１１】
また、本実施の形態における携帯端末１００は、携帯端末１００の移動情報と選択されたアプリケーションの種類とから無線通信接続する外部装置を選定する機能を備えている。該機能により本実施の形態では、携帯端末１００の移動に伴ってユーザが自ら行っていた接続相手装置の選定や変更設定作業をしなくても、移動先で携帯端末１００が送信したデータを好適に処理・出力する外部装置を選定することができ、ユーザの利便性を向上することを実現する。
【００１２】
携帯端末１００は、例えばユーザが表示部１０１、操作部１０２を用いて携帯端末１００に設けられたアプリケーションを選択し、当該アプリケーションで扱うデータをアンテナ１０３から其々の外部装置に無線接続して送信する。
【００１３】
尚、図２では携帯端末１００と無線接続する其々の外部装置としてワイヤレスヘッドホン２００、スピーカ３００、表示装置４００、プリンタ５００、パーソナルコンピュータ６００、スピーカ７００を例に挙げる。
【００１４】
本実施の形態における携帯端末１００は、例えば表示部１０１、操作部１０２、アンテナ１０３、制御部１１０、記憶部１２０、位置検出部１３０、ＨＤＤ（Ｈａｒｄ  Ｄｉｓｋ  Ｄｒｉｖｅ）１４０、無線通信部１５０、時刻検出部１６０等から構成される。
【００１５】
表示部１０１は、携帯端末１００に設けられたアプリケーションやＨＤＤ１４０に格納するコンテンツデータの選択画面（図示しない）等を表示して操作部１０２における操作入力を補助する。また、例えば表示部１０１は外部装置を選定するための情報をユーザに示す。この情報については、図３を参照して後述する。
【００１６】
操作部１０２は、ユーザからの操作入力を受ける操作入力手段として、例えば十字キーを備える。また、操作部１０２は外部装置の新たな登録や其々の外部装置における優先度の入力を行う。
【００１７】
無線通信部１５０は、無線通信制御手段１２２の指示を受けて、例えばＢｌｕｅｔｏｏｔｈのＡＶＲＣＰ（Ａｕｄｉｏ／Ｖｉｄｅｏ  Ｒｅｍｏｔｅ  Ｃｏｎｔｒｏｌ  Ｐｒｏｆｉｌｅ）、Ａ２ＤＰ（Ａｄｖａｎｃｅｄ  Ａｕｄｉｏ  Ｄｉｓｔｒｉｂｕｔｉｏｎ  Ｐｒｏｆｉｌｅ）、ＶＤＰ（Ｖｉｄｅｏ  Ｄｉｓｔｒｉｂｕｔｉｏｎ  Ｐｒｏｆｉｌｅ）、およびＢＩＰ（Ｂａｓｉｃ  Ｉｍａｇｉｎｇ  Ｐｒｏｆｉｌｅ）等に定められた方法で選定した外部装置にアンテナ１０３から無線接続し、携帯端末１００に設けられたアプリケーションで扱うデータを外部装置に送信する。
【００１８】
尚、ＡＶＲＣＰはＡＶ（Ａｕｄｉｏ／Ｖｉｄｅｏ）機器のリモートコントロール機能を実現するためのプロファイルであり、一時停止、停止、再生開始、音声制御、及び他の種類のリモート制御を行う際に使用する。Ａ２ＤＰは、高度音声を配信する機能を実現するためのプロファイルであり、音声データを送信装置から受信装置に伝送する際に使用する。ＶＤＰは、動画を配信するためのプロファイルであり、動画像データを送信装置から受信装置に伝送する際に使用する。ＢＩＰは、画像を転送する機能を実現するためのプロファイルであり、画像データを送信装置から受信装置に伝送する際に使用する。
【００１９】
制御部１１０は、記憶部１２０に記憶されているプログラムに従って各種機能を動作させる。また、制御部１１０はバス１８０を介して携帯端末１００の動作制御を行う。
【００２０】
記憶部１２０は、制御部１１０が実行する各アプリケーションのプログラムを格納している。記憶部１２０には、例えば携帯端末１００を制御する動作制御手段１２１、無線通信部１５０を制御する無線通信制御手段１２２、接続先である外部装置の位置情報や当該外部装置で処理・出力可能な機能等の情報を生成・更新する接続先情報制御手段１２３等が格納されている。
【００２１】
また、記憶部１２０は、各種アプリケーションのプログラムの他に接続先情報制御手段１２３が生成・更新した複数の外部装置に関する接続先情報１２４および時刻検出部１６０で検出した時間を基に生成した所定の空間における時間帯毎の使用頻度情報１２５等を登録する。尚、接続先情報制御手段１２３、時間帯毎の使用頻度情報１２５の詳細については、其々図３、図７を参照して後述する。
【００２２】
位置検出部１３０は、ＧＰＳ（Ｇｌｏｂａｌ  Ｐｏｓｉｔｉｏｎｉｎｇ  Ｓｙｓｔｅｍ）や基地局から取得した情報等を用いて携帯端末１００の現在位置を検出し移動情報を生成する。
【００２３】
ここで、本実施の形態における移動情報は、携帯端末１００の現在位置の変化を示す情報であり、位置検出部１３０は、制御部１１０の制御の下で定期的に携帯端末１００の現在位置を検出し、継続して移動情報を生成する。また、位置検出部１３０で検出する携帯端末１００の現在位置は、例えば緯度・経度・高度を示す三次元の座標で示すが、これに限らず、携帯端末１００の現在位置が検出できる方法ならよい。
【００２４】
時刻検出部１６０は、内蔵した電波時計（図示しない）等から外部装置の使用開始時刻・使用終了時刻を検出し、外部装置の使用時間を計る。
また、携帯端末１００では、外部装置に処理・出力させるデータとして携帯端末１００で選択した音楽再生や画像転送等のアプリケーションで扱うデータを送信する。これらのデータは、無線通信により送信できるデータであれば、其々の外部装置における処理機能または出力機能に合わせてアドレス帳や写真等の画像データや印刷データ等を送信しても良い。
【００２５】
従って、本実施の形態における外部装置は、携帯端末１００と無線接続する無線通信機能、携帯端末１００から送信されるデータを処理・出力する機能が備わっていれば良いものとする。また、本実施の形態では、携帯端末１００から外部装置を選定して無線接続を行うが、外部装置から携帯端末１００に接続要求を送信してもよい。
【００２６】
また、本実施の形態では、ユーザが携帯端末１００で処理するアプリケーションのデータを送信する場合を想定しているが、これに限らず、ユーザが携帯端末１００に格納された音声データや画像データ等のコンテンツデータを直接選択し、当該コンテンツデータを好適に再生させる外部装置を選定する形態でもよいものとする。
【００２７】
次に、図３及び図４を参照して本実施の形態における外部装置の選定情報について説明する。図３は、本実施の形態における携帯端末１００の移動先と各移動先で登録された其々の外部装置を示す図である。
【００２８】
本実施の形態における携帯端末１００では、例えばＢｌｕｅｔｏｏｔｈのＩｎｑｕｉｒｙ機能等を用いて携帯端末１００の周辺を検索したり、ＢｌｕｅｔｏｏｔｈのＳＤＡＰ（Ｓｅｒｖｉｃｅ  Ｄｉｓｃｏｖｅｒｙ  Ａｐｐｌｉｃａｔｉｏｎ  Ｐｒｏｆｉｌｅ）に定められた方法により当該外部装置が有するサービス（本実施例でのアプリケーションと同義）を検索したり、或いはユーザが自ら入力したりすることで携帯端末１００と接続可能な出力装置を認識し、当該外部装置に関する情報を接続先情報１２４として登録する。
【００２９】
また、本実施の形態では、外部装置の登録時に位置検出部１３０で検出した携帯端末１００の位置を基に当該外部装置の位置情報を生成し、接続先情報１２４に含めて登録する。従って、携帯端末１００は過去に登録した接続先情報１２４から外部装置の位置情報を参照することで各移動先において送信するデータを好適に処理・出力する外部装置を選定することができる。
【００３０】
尚、本実施の形態における外部装置の位置情報は、登録を行う時に位置検出部１３０で検出した携帯端末１００の座標の位置を中心にして、無線接続が可能な範囲内（例えばＢｌｕｅｔｏｏｔｈのクラス２であれば半径１０メートル程度）全てを含む空間として設定している。
【００３１】
例えば、図３で示す各移動先Ａで登録を行う際に検出した携帯端末１００の座標の位置（緯度，経度，高度）が（ｘ１，ｙ１，ｚ１）の値であった場合、移動先Ａで登録される其々の外部装置の位置情報は座標（ｘ１，ｙ１，ｚ１）から同心円状に広がる無線接続が可能な範囲内の空間である。
【００３２】
例えば図３で示す各移動先で登録された其々の外部装置の例では、移動先の空間Ａにおける接続可能な外部装置としてスピーカ３００および表示装置４００が其々存在する。また、移動先の空間Ｂでは接続可能な外部装置としてプリンタ５００、パーソナルコンピュータ６００、およびスピーカ７００が其々存在する。
【００３３】
即ち、携帯端末１００に登録されたスピーカ３００および表示装置４００が有する位置情報は其々空間Ａであり、プリンタ５００、パーソナルコンピュータ６００、スピーカ７００が有する位置情報は其々空間Ｂである。
【００３４】
また、外部装置には、例えばワイヤレスヘッドホン２００のように特定の位置に設置されず、ユーザが携帯して使用する装置もあるが、本実施の形態ではこれらの外部装置について、特定の位置情報を持たない設定（以下、フリーの設定とも称する）にして登録するものとする。
【００３５】
図４は、本実施の形態における外部装置に関する情報の一例を示す図である。図４では、各外部装置２００〜７００における接続先の外部装置名・外部装置のＢＤ（Ｂｌｕｅｔｏｏｔｈ  Ｄｅｖｉｃｅ）アドレス、アプリケーションの種類、位置情報、使用頻度、優先度が其々示されている。
【００３６】
ここで、接続先の外部装置名は、表示装置４００やスピーカ３００などの装置の名前であり、ユーザが直接外部装置を指定する際に表示部１０１に表示する。外部装置のＢＤアドレスは、Ｂｌｕｅｔｏｏｔｈ機器固有の値であり、携帯端末１００が外部装置を特定する際に用いる。アプリケーションの種類は、例えば画像転送や音楽再生等の出力装置が処理できるアプリケーションの種類を示している。使用頻度は、当該外部装置を過去に使用した回数や時間から示される頻度であり、本実施の形態では使用頻度を高・中・低の３段階で示している。優先度は、ユーザにより設定される其々の外部装置の優先順位を示す値であり、本実施の形態では優先度を高・中・低の３段階で示している。また、本実施の形態では同一の位置情報および処理・出力機能を有する外部装置には同一の優先度を設定しない。位置情報については、図３で説明した内容と同様であるため省略する。
【００３７】
本実施例では、例えば選択したアプリケーションで扱うデータを外部装置に送信するコマンドの入力を受けた場合、あるいは、アプリケーションの実行により自動的に外部装置にデータ送信するように構成した当該アプリケーションの実行が指示された場合、当該アプリケーションの種類と位置検出部１３０で生成した携帯端末１００の移動情報とを基に外部装置の選定を行う。
【００３８】
例えば、選定したアプリケーションが画像転送であり、位置検出部１３０で検出した携帯端末１００の移動先が空間Ａ内であった場合、図４に示す通り、携帯端末１００に登録された外部装置の中で空間Ａの位置情報を有し、当該画像転送のアプリケーションに対応した処理が可能である接続先の候補は表示装置４００のみである。よって、ここでは接続先の外部装置は表示装置４００に選定される。
【００３９】
また、本実施の形態では、アプリケーションの種類と携帯端末１００の移動情報とを基に選定した接続候補の外部装置が複数存在すれば、優先度および使用頻度に基づいて更に選定を行う。
【００４０】
例えば、操作部１０２で選定したアプリケーションの種類が音楽再生であり、位置検出部１３０で検出した携帯端末１００の移動先が空間Ｂであった場合、携帯端末１００に登録された外部装置の中で候補に挙げられるのは、空間Ｂの位置情報を有し、当該音楽再生のアプリケーションに対応した処理が可能なスピーカ７００と、音楽再生のアプリケーションに対応した処理が可能であって、位置情報がフリーの設定として登録がなされたワイヤレスヘッドホン２００の２つの外部装置である。
【００４１】
従って、外部装置を１つに選定するため、其々の優先度および使用頻度を基に更に選定を行う。図４に示す通り、スピーカ７００とワイヤレスヘッドホン２００における其々の使用頻度および優先度は共にワイヤレスヘッドホン２００の方が高い値に設定登録されているため、ここでは携帯端末１００の接続先としてワイヤレスヘッドホン２００が選定される。
【００４２】
また、優先度および使用頻度を基に外部装置が１つに選定されない場合は、操作部１０２を介してユーザが選定の入力、或いは新たな優先度の登録を行うものとする。
【００４３】
尚、図３および図４では、ユーザが選択したアプリケーションで扱うデータの種類と携帯端末１００の移動情報を基に外部装置を選定する場合を示したが、これに限らず、本実施の形態では、ユーザが選択した映像データや音声データ等のコンテンツデータの種類と携帯端末１００の移動情報を基に外部装置を選定してもよい。
【００４４】
コンテンツデータの種類を基に外部装置を選定する場合の選定では、例えばＭＰＥＧ方式等で符号化圧縮されたコンテンツデータを復号して再生する機能等、携帯端末から送信されたコンテンツデータを処理または出力できる機能が備わっているか否かを確認して選定する方法等が挙げられる。
【００４５】
次に図５を参照して、本実施の形態における外部装置の選定及び無線接続手順の流れを説明する。図５は、本実施の形態における外部装置の選定及び無線接続手順の流れを示すフローチャートである。尚、ここではユーザによりアプリケーションの選択が行われる場合を想定する。
【００４６】
本実施の形態における携帯端末１００では、操作部１０２で操作入力を受けた場合、制御部１１０は、この操作入力が音楽再生や画像転送等のアプリケーションを選択し、当該アプリケーションで扱うデータを外部装置に送信するコマンドであるか否か判断する（ステップＳ１０１）。このときの操作入力が、アプリケーションで扱うデータを外部装置に送信するコマンドでない場合は（ステップＳ１０１のＮｏ）、制御部１１０は処理をステップＳ１０１に戻す。
【００４７】
ステップＳ１０１の操作入力が、選択したアプリケーションで扱うデータを外部装置に送信するコマンドである場合（ステップＳ１０１のＹｅｓ）、制御部１１０は、ユーザが選択したアプリケーションの種類に基づいて接続先情報１２４から当該アプリケーションで扱うデータを処理・出力可能な外部装置を検索する（ステップＳ１０２）。
【００４８】
次に、制御部１１０は位置検出部１３０に携帯端末１００の現在位置を検出させて移動情報を生成させる（ステップＳ１０３）。ここで、制御部１１０は位置検出部１３０で生成させた携帯端末１００の移動情報に基づいて、ステップＳ１０２で検索したアプリケーションで扱うデータを処理・出力可能な外部装置の中から移動先における好適な外部装置を選定する（ステップＳ１０４）。
【００４９】
ステップＳ１０４で外部装置が選定されると、制御部１１０は当該外部装置と無線接続を開始する（ステップＳ１０５）。ここで制御部１１０は、外部装置との無線接続が成功したか否か判断し（ステップＳ１０６）、無線接続が成功すれば（ステップＳ１０６のＹｅｓ）処理を終える。
【００５０】
ステップＳ１０６で制御部１１０が、無線接続が失敗したと判断した場合（ステップＳ１０６のＮｏ）、制御部１１０は選定した外部装置が使用不可能であるとみなし、接続先情報１２４から他の接続候補となる外部装置を検索する（ステップＳ１０７）。
【００５１】
制御部１１０は、ステップＳ１０７の処理で他の外部装置を発見できれば（ステップＳ１０７のＹｅｓ）、処理をステップＳ１０５に戻して発見した外部装置と無線接続を開始する。他の外部装置を発見できなければ（ステップＳ１０７のＮｏ）処理を終了する。
【００５２】
次に、図６を参照して携帯端末１００に登録された外部装置の位置情報を更新する位置情報更新の流れについて説明する。図６は本実施の形態における位置情報更新作業の手順を示したフローチャートである。
【００５３】
外部装置との無線接続を行った状態で、制御部１１０は位置検出部１３０に携帯端末１００の移動情報を生成させる（ステップＳ２０１）。ここで、制御部１１０は位置検出部１３０で生成させた移動情報に基づき、携帯端末１００が移動したか否か判断する（ステップＳ２０２）。
【００５４】
携帯端末１００が移動したと判断した場合（ステップＳ２０２のＹｅｓ）、次に制御部１１０は、携帯端末１００が所定の空間に留まらずに移動を継続し、且つ外部装置の無線接続を継続しているか否か、即ち移動しながら当該外部装置を使用しているか否かを判断する（ステップＳ２０３）。ステップＳ２０２で携帯端末１００が移動していないと判断された場合（ステップＳ２０２のＮｏ）、制御部１１０はステップＳ２０６の処理に移る。
【００５５】
携帯端末１００の位置情報が所定の位置に留まらずに移動を継続し、且つ外部装置の無線接続を継続している場合、即ち移動しながら外部装置を使用している場合（ステップＳ２０３のＹｅｓ）、制御部１１０は接続先情報１２４に格納する当該外部装置の位置情報をフリーの設定として更新し（ステップＳ２０４）、ステップＳ２０６の処理に移る。
【００５６】
ステップＳ２０３で携帯端末１００が移動後に所定の位置に留まり、且つ外部装置の無線接続を継続している場合、即ち登録した空間以外の空間で外部装置を使用している場合（ステップＳ２０３のＮｏ）、制御部１１０は、位置検出部１３０に検出させた携帯端末１００の現在位置を基に当該外部装置の位置情報を新たに生成して接続先情報１２４を更新し（ステップＳ２０５）、ステップＳ２０６の処理に移る。
【００５７】
次に、制御部１１０は外部装置との無線接続が切断したか否か判断する（ステップＳ２０６）。ここでは、制御部１１０が接続先情報１２４の中から移動先の位置において選択したアプリケーションで扱うデータを好適に処理・出力する他の外部装置を検索して無線接続の切り替えを行った場合や、表示部１０１を介してユーザが無線接続を切断した場合を想定する。
【００５８】
ステップＳ２０６で制御部１１０が、外部装置との無線接続を切断していないと判断した場合（ステップＳ２０６のＮｏ）、制御部１１０はステップＳ１０１に処理を戻す。ステップＳ２０６で外部装置との無線接続を切断したと判断した場合（ステップＳ２０６のＹｅｓ）、制御部１１０は接続先情報１２４に登録された外部装置の使用頻度情報を更新して（ステップＳ２０７）、処理を終了する。
【００５９】
また、ここでは携帯端末１００の位置情報の変化に伴って外部装置の位置情報や使用頻度情報等の登録情報を更新する場合について説明したが、本実施の形態では、時間の変化に伴い、所定の空間における時間帯毎の使用頻度情報１２５を更新する機能も有する。この機能を基に本実施の形態では、同一の所定空間であっても時間帯毎に選択したアプリケーションで扱うデータを好適に処理・出力する外部装置を選定し、無線接続の切り替えができる。
【００６０】
尚、本実施の形態における時間帯毎の使用頻度情報１２５は、携帯端末１００に登録された各空間で、例えば所定の時間帯毎における各外部装置の使用頻度を示す情報であり、各外部装置の使用開始時刻または使用終了時刻の平均値を含む。
【００６１】
以下に、図７を参照して、本実施の形態における外部装置の時間帯毎の使用頻度情報１２５を更新する機能を説明する。図７は、本実施の形態における外部装置の時間帯毎の使用頻度情報１２５を更新する流れを示すフローチャートである。
【００６２】
図５を参照して説明した外部装置の選定及び無線接続開始後、制御部１１０は時刻検出部１６０に外部装置の使用開始時刻を検出させる（ステップＳ３０１）。次に外部装置との無線接続を行った状態で、制御部１１０は位置検出部１３０に携帯端末１００の移動情報を生成させる（ステップＳ３０２）。
【００６３】
制御部１１０はステップＳ３０２で生成させた移動情報に基づき、携帯端末１００が所定の空間から移動したか否か判断する（ステップＳ３０３）。ここで、携帯端末１００が所定の空間から移動したと判断した場合（ステップＳ３０３のＹｅｓ）、制御部１１０はステップＳ３０６の処理に移る。
【００６４】
ステップＳ２０２で携帯端末１００が所定の空間から移動していないと判断した場合（ステップＳ３０３のＮｏ）、外部装置との無線接続を切断したか否か判断する（ステップＳ３０４）。
【００６５】
ステップＳ３０４で制御部１１０が、外部装置との無線接続を切断していないと判断した場合（ステップＳ３０４のＮｏ）、制御部１１０はステップＳ３０２に処理を戻して移動情報の確認を繰り返す。
【００６６】
ステップＳ３０４で外部装置との無線接続を切断したと判断した場合（ステップＳ３０４のＹｅｓ）、制御部１１０は時刻検出部１６０に所定の空間から移動した時刻または外部装置の使用終了時刻を検出させる（ステップＳ３０５）。
【００６７】
ステップＳ３０５の処理を終えると、制御部１１０は記憶部１２０に記憶された所定の空間における時間帯毎の使用頻度情報１２５を更新して（ステップＳ３０６）、処理を終了する。
【００６８】
以上説明したように、本実施の形態によれば、携帯端末１００の移動に伴ってユーザが自ら行っていた接続相手装置の選定や変更設定作業をしなくても、移動先の位置において選択したアプリケーションで扱うデータを好適に処理・出力可能な外部装置を選定することができ、ユーザの利便性を向上することを実現する。また、本実施の形態では、外部装置を使用した回数と使用した時間とから示される使用頻度情報と、ユーザが設定した外部装置の優先度とに基づき選択したアプリケーションで扱うデータを好適に処理・出力可能な外部装置を選定できる。
【００６９】
本実施の形態によれば、操作部１０２により外部装置の優先度を入力できるため、ユーザの好みに応じて外部装置の選定基準を設けることができる。また、本実施の形態では携帯端末１００が位置する空間の変化及び時間の変化に伴って外部装置の登録情報を更新するため、携帯端末１００の使用状況の変化に合わせて選択したアプリケーションで扱うデータを好適に処理・出力することができる外部装置を選定できる。
【００７０】
また、本実施の形態では、選定した外部装置に無線接続不可能または使用不可能であった場合、選択したアプリケーションで扱うデータを好適に処理・出力可能な次の候補を検索して無線接続を開始することができる。
【００７１】
また、本実施の形態では、ユーザが選択したコンテンツデータの種類に応じて、当該コンテンツデータを好適に処理・出力可能な出力装置を選定できる。
また、本実施の形態では、外部装置から要求に応じて無線接続を行う機能を有するため、外部装置から携帯端末１００を作動させることができる。
本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００７２】
【図１】本発明の一実施形態に係る無線通信装置の外観の一例を示した図である。
【図２】本発明の実施形態に係る無線通信装置を構成する携帯端末１００のシステム構成の一例を示した図である。
【図３】本実施の形態における携帯端末１００の移動先と各移動先で登録された其々の外部装置を示す図である。
【図４】本実施の形態における外部装置に関する情報の一例を示す図である。
【図５】本実施の形態における外部装置の選定及び無線接続手順の流れを示すフローチャートである。
【図６】本実施の形態における位置情報更新作業の手順を示したフローチャートである。
【図７】本実施の形態における時間帯毎の外部装置の使用頻度情報を更新する流れを示すフローチャートである。
【符号の説明】
【００７３】
１００  携帯端末
１０１  表示部
１０２  操作部
１０３  アンテナ
１１０  制御部
１２０  記憶部
１２１  動作制御手段
１２２  無線通信制御手段
１２３  接続先情報制御手段
１２４  接続先情報
１２５  時間帯毎の使用頻度情報
１３０  位置検出部
１４０  ＨＤＤ
１５０  無線通信部
１６０  時刻検出部
１８０  バス
２００  ワイヤレスヘッドホン
３００、７００  スピーカ
４００  表示装置
５００  プリンタ
６００  パーソナルコンピュータ
【図１】
0004331233.tif 000002
【図２】
0004331233.tif 000003
【図３】
0004331233.tif 000004
【図４】
0004331233.tif 000005
【図５】
0004331233.tif 000006
【図６】
0004331233.tif 000007
【図７】
0004331233.tif 000008